(57)【要約】【課題】地震などの災害発生時に動物の不要な拘束を解除することが可能な災害対応ロック解除システムを実現する。【解決手段】災害情報センターからの緊急地震速報のデータを受信する緊急地震速報受信装置と、前記緊急地震速報受信装置で受信された緊急地震速報のデータに応じてロック解除信号を送信するロック解除送信機と、前記ロック解除送信機からのロック解除信号を受信してロックを解除するロック部とを備え、前記ロック部には動物の鎖が接続されているか、あるいは、前記ロック部は檻もしくは柵のゲートを閉鎖した状態でロックしており、前記災害発生情報を受信した場合には前記鎖の接続あるいはゲートのロックが解除される、ことを特徴とする災害対応ロック解除システムである。【選択図】図１
2007295840.tif 000002
【特許請求の範囲】
【請求項１】
災害情報センターからの緊急地震速報のデータを受信する緊急地震速報受信装置と、
前記緊急地震速報受信装置で受信された緊急地震速報のデータに応じてロック解除信号を送信するロック解除送信機と、
前記ロック解除送信機からのロック解除信号を受信してロックを解除するロック部とを備え、
前記ロック部には動物の鎖が接続されているか、あるいは、前記ロック部は檻もしくは柵のゲートを閉鎖した状態でロックしており、前記災害発生情報を受信した場合には前記鎖の接続あるいはゲートのロックが解除される、
ことを特徴とする災害対応ロック解除システム。
【請求項２】
災害情報センターからの各種災害発生情報を受信する災害情報受信装置と、
前記災害情報受信装置で受信された災害発生情報に応じてロック解除信号を送信するロック解除送信機と、
前記ロック解除送信機からのロック解除信号を受信してロックを解除するロック部とを備え、
前記ロック部には動物の鎖が接続されているか、あるいは、前記ロック部は檻もしくは柵のゲートを閉鎖した状態でロックしており、前記災害発生情報を受信した場合には前記鎖の接続あるいはゲートのロックが解除される、
ことを特徴とする災害対応ロック解除システム。
【請求項３】
ユーザと通信を行う通信手段と、
前記通信手段を介してユーザからのロック解除承認を得る制御手段を備え、
前記制御手段は、前記通信手段を介してユーザからのロック解除承認が得られた場合、もしくはユーザからの応答がなかった場合に、前記ロック解除信号を送信するように前記ロック回路送信機を制御する、
ことを特徴とする請求項１または請求項２に記載の災害対応ロック解除システム。
【発明の詳細な説明】
【技術分野】
【０００１】
本発明は、災害対応ロック解除システムに関し、緊急地震速報などのデータを利用して動物を拘束しているロックを解除するように構成された災害対応ロック解除システムに関する。
【背景技術】
【０００２】
犬や、その他の中〜大型のペットは、飼い主の責務として、綱や鎖でつなぐか、柵や檻などの囲いの中で飼わなければならないとされている。
しかし、飼い主が自宅に不在の状態で、大地震などの災害が発生した場合には、ペットは囲いの中に閉じこめられた状態、あるいは、鎖でつながれたままの状態で放置されることになる。
【０００３】
また、飼い主が自宅にいたとしても、大地震などの災害が発生した場合に飼い主だけが避難してしまうと、ペットは囲いの中に閉じこめられた状態、あるいは、鎖でつながれたままの状態で放置されることになる。
【０００４】
地震などの災害で家屋が倒壊したり火災が発生した場合には、閉じこめられたり鎖でつながれたままのペットは逃げることができない。
また、家屋の倒壊や火災が発生しないとしても、飼い主が戻ってこられない状態が続くと、水や餌が無い状態で、ペットが閉じこめられたり鎖でつながれたままになる。
【０００５】
この種の閉じこめに関しては、以下の特許文献１に関連した技術が記載されている。
【特許文献１】特開２００１−２８３３４８号公報
【発明の開示】
【発明が解決しようとする課題】
【０００６】
以上の特許文献１に記載されたものは、被災者の存在を災害発生前に場所を含めて記憶登録し、災害発生を検出すると救助信号を自動送出することで災害時の閉じこめに対応するものである。
【０００７】
このシステムでは、事前登録、災害発生の検出、救助信号の送信、救助信号を受信しての救助など、システムや運用が大がかりになるという欠点がある。
また、逆に、単純なセンサと組み合わせて、動物を拘束している鎖やゲートを解除してしまうと、誤動作によって動物が逃げ出してしまう心配もある。
【０００８】
本発明は、このような課題に鑑み創案されたもので、地震などの災害発生時に動物の不要な拘束を解除することが可能な災害対応ロック解除システムを実現することを目的としている。
【課題を解決するための手段】
【０００９】
上述した不具合を解決する手段としての本発明は、以下に述べるようなものである。
（１）請求項１記載の発明は、災害情報センターからの緊急地震速報のデータを受信する緊急地震速報受信装置と、前記緊急地震速報受信装置で受信された緊急地震速報のデータに応じてロック解除信号を送信するロック解除送信機と、前記ロック解除送信機からのロック解除信号を受信してロックを解除するロック部とを備え、前記ロック部には動物の鎖が接続されているか、あるいは、前記ロック部は檻もしくは柵のゲートを閉鎖した状態でロックしており、前記災害発生情報を受信した場合には前記鎖の接続あるいはゲートの
ロックが解除される、ことを特徴とする災害対応ロック解除システムである。
【００１０】
この災害対応ロック解除システムでは、緊急地震速報受信装置で受信された緊急地震速報のデータに応じて、ロック解除送信機からロック解除信号が送信される。ロック部でロック解除信号が受信されると、ロック部に接続された動物の鎖の接続が解放、あるいは、檻もしくは柵のゲートのロックが解除される。
【００１１】
（２）請求項２記載の発明は、災害情報センターからの各種災害発生情報を受信する災害情報受信装置と、前記災害情報受信装置で受信された災害発生情報に応じてロック解除信号を送信するロック解除送信機と、前記ロック解除送信機からのロック解除信号を受信してロックを解除するロック部とを備え、前記ロック部には動物の鎖が接続されているか、あるいは、前記ロック部は檻もしくは柵のゲートを閉鎖した状態でロックしており、前記災害発生情報を受信した場合には前記鎖の接続あるいはゲートのロックが解除される、ことを特徴とする災害対応ロック解除システムである。
【００１２】
この災害対応ロック解除システムでは、災害情報受信装置で受信された災害情報のデータに応じて、ロック解除送信機からロック解除信号が送信される。ロック部でロック解除信号が受信されると、ロック部に接続された動物の鎖の接続が解放、あるいは、檻もしくは柵のゲートのロックが解除される。
【００１３】
（３）請求項３記載の発明は、ユーザと通信を行う通信手段と、前記通信手段を介してユーザからのロック解除承認を得る制御手段を備え、前記制御手段は、前記通信手段を介してユーザからのロック解除承認が得られた場合、もしくはユーザからの応答がなかった場合に、前記ロック解除信号を送信するように前記ロック回路送信機を制御する、ことを特徴とする請求項１または請求項２に記載の災害対応ロック解除システムである。
【００１４】
この災害対応ロック解除システムでは、災害情報受信装置で受信された災害情報のデータに応じ、ユーザのロック解除承認を得るように、ユーザのロック解除承認が得られてから、あるいは、ユーザからの応答が無かった場合に、ロック解除送信機からロック解除信号が送信される。ロック部でロック解除信号が受信されると、ロック部に接続された動物の鎖の接続が解放、あるいは、檻もしくは柵のゲートのロックが解除される。
【発明の効果】
【００１５】
本願発明によれば、以下のような効果が得られる。
（１）この災害対応ロック解除システムでは、緊急地震速報受信装置で受信された緊急地震速報のデータに応じて、ロック解除送信機からロック解除信号が送信され、ロック部でロック解除信号が受信されると、ロック部に接続された動物の鎖の接続が解放、あるいは、檻もしくは柵のゲートのロックが解除される。
【００１６】
この結果、綱や鎖でつなぐか、柵や檻などの囲いの中で飼わなければならないとされている、犬や、その他の中〜大型のペットに関して、飼い主が自宅に不在の状態で大地震などの災害が発生した場合には、緊急地震速報のデータに応じて自動的に鎖や檻や柵が解除されるため、ペットは囲いや鎖からは解放され、不要な閉じこめ状態は発生しない。
【００１７】
また、特許文献１のような事前登録、災害の検出、救助信号の送信、救助信号の受信に基づく救助実行などは不要になる。また、単純な地震センサと組み合わせではないため、動物を拘束している鎖やゲートが誤動作によって解除されてしまって動物が逃げ出してしまうという心配もない。
【００１８】
（２）この災害対応ロック解除システムでは、災害情報受信装置で受信された災害情報
のデータに応じて、ロック解除送信機からロック解除信号が送信され、ロック部でロック解除信号が受信されると、ロック部に接続された動物の鎖の接続が解放、あるいは、檻もしくは柵のゲートのロックが解除される。
【００１９】
この結果、綱や鎖でつなぐか、柵や檻などの囲いの中で飼わなければならないとされている、犬や、その他の中〜大型のペットに関して、飼い主が自宅に不在の状態で、大地震、津波、火災、台風、浸水、土石流、雪崩、火山噴火などの災害が発生した場合には、災害情報のデータに応じて自動的に鎖や檻や柵が解除されるため、ペットは囲いや鎖からは解放され、不要な閉じこめ状態は発生しない。
【００２０】
また、特許文献１のような事前登録、災害の検出、救助信号の送信、救助信号の受信に基づく救助実行などは不要になる。また、単純な地震センサと組み合わせではないため、動物を拘束している鎖やゲートが誤動作によって解除されてしまって動物が逃げ出してしまうという心配もない。
【００２１】
（３）この災害対応ロック解除システムでは、災害情報受信装置で受信された災害情報のデータに応じ、ユーザのロック解除承認を得るように、ユーザのロック解除承認が得られた場合、あるいは、ユーザからの応答がなかった場合に、ロック解除送信機からロック解除信号が送信される。ロック部でロック解除信号が受信されると、ロック部に接続された動物の鎖の接続が解放、あるいは、檻もしくは柵のゲートのロックが解除される。
【００２２】
この結果、綱や鎖でつなぐか、柵や檻などの囲いの中で飼わなければならないとされている、犬や、その他の中〜大型のペットに関して、飼い主が自宅に不在の状態で、大地震、津波、火災、台風、浸水、土石流、雪崩、火山噴火などの災害が発生した場合には、災害情報のデータに応じて、ユーザのロック解除承認を得てから、あるいは、緊急事態などでユーザからの応答が無かった場合に、鎖や檻や柵が解除されるため、ペットは囲いや鎖からは解放され、不要な閉じこめ状態や不要な解除状態は発生しない。
【００２３】
また、特許文献１のような事前登録、災害の検出、救助信号の送信、救助信号の受信に基づく救助実行などは不要になる。また、単純な地震センサと組み合わせではないため、動物を拘束している鎖やゲートが誤動作によって解除されてしまって動物が逃げ出してしまうという心配もない。
【００２４】
この場合、ユーザのロック解除承認だけでなく、あるいは、近所の知人への確認や依頼、知人による解除承認、などの各種手続きを経るようにしてもよい。このように各種の手続きを経てから、鎖や檻や柵が解除されるため、確実な手続きを経てから、ペットは囲いや鎖からは解放されるため、不要な閉じこめ状態も不要な解除状態も発生しない。
【発明を実施するための最良の形態】
【００２５】
以下、図面を参照して本発明の実施の形態を説明する。
〔１〕本実施形態の構成：
図１は本発明の一実施形態としての災害対応ロック解除システムの基本構成を示すブロック図である。
【００２６】
なお、この実施形態では、地震、津波、火災、台風、浸水、土石流、雪崩、火山噴火などの各種災害の例として、地震を具体例にして説明を行う。
また、動物としては、ペットとして代表的な犬を具体例に用いる。
【００２７】
この図１に示されるように、本実施形態の災害対応ロック解除システムは、以下のものから構成される。
ネットワーク１００はインターネットや各種ＬＡＮなどのネットワークである。災害情報センター１０１は、ネットワーク１００に接続されており、後述する地震観測ポイントからの観測結果を得て、必要に応じて緊急地震速報を各部に対してネットワーク経由で配信する。地震観測ポイント１１１ａ〜１１１ｎは、全国各地、あるいや、地震の発生が予測されている地区に配置され、地震の観測を行う観測点であり、観測結果をネットワーク１００経由で災害情報センター１０１に対して送出する。
【００２８】
住居２００は後述する動物の飼い主が居住する場所であり、緊急地震速報を利用するとして登録されたユーザ宅でもあり、災害情報センターからの緊急地震速報のデータを受信する緊急地震速報受信装置としてＰＣ２１０が設置されている。このＰＣ２１０は、ネットワーク１００を介して災害情報センター１０１からの緊急地震速報を受信する。なお、緊急地震速報順装置としては、放送電波に重畳された災害情報センター１０１からの緊急地震速報の信号を受信する専用受信機２１１であってもよい。
【００２９】
ロック解除送信機２２０は、緊急地震速報受信装置（ＰＣ２１０または専用受信機２１１）で受信された緊急地震速報のデータに応じて、ロック解除信号を送信する。なお、このロック解除送信機２２０としては、無線局の免許が不要な特定小電力無線装置を用いることが望ましい。
【００３０】
犬小屋３００には、犬３０１が首輪３１０を介して鎖３２０につながれている。なお、鎖３２０は、通常はロック部３４０でロックされているが、ロック解除送信機２２０からのロック解除信号を受信すると、ロック部３４０のロックが解除される。
【００３１】
すなわち、ロック部３４０は、ロック解除送信機２２０からのロック解除信号を受信する受信機と、受信したロック解除信号に応じてロック機構を解除するロック・アンロック制御部とが備えられている。また、ロック部３４０が小型軽量に構成されている場合には、鎖３２０の固定（大地）側でなく、首輪３１０側に配置されていてもよい。
【００３２】
なお、「緊急地震速報」とは、気象庁が2004年2月に試験運用・配信を開始した地震に
よる被害を軽減（減災）させようという目的の新しい地震情報である。
従来の地震情報の発表は地震発生から約3〜4分後であったのに対し、この緊急地震速報は、地震発生直後に震源に近い地震観測点で観測される初期微動（Ｐ波）の波形を解析し、およそ5〜7秒で、災害情報センター１０１から発表される。この緊急地震速報を地震波の到達より先に受信することで、地震の強い揺れが来る前に、推定震度や余裕時間を計算して知ることが可能となっている。
【００３３】
また、気象庁が運営しているシステム以外であっても、同種の信号を、本実施形態では、「緊急地震速報」として扱う。
さらに、津波、火災、台風、浸水、土石流、雪崩、火山噴火などの災害が発生した場合に同種のシステムから配信される情報を、本実施形態では、「災害発生情報」として扱う。また、実際に地震や各種災害が発生した場合だけではなく、予知された場合の予知情報、警報、注意報なども同様に扱うことが可能である。
【００３４】
〔２〕本実施形態の動作：
ここでは、各種災害として地震が発生した場合を具体例として説明を続ける。いずれかの地方において、大きな地震が発生したとする（図２（１））。その場合、震源地近くに配置されている観測ポイント１１１ｉで、地震の初期微動（Ｐ波）を検出し、観測する（図２（２））。
【００３５】
このように検出と観測とを行った観測ポイント１１１ｉは、地震検出の旨と観測結果と
をネットワーク１００あるいは図示されない各種通信システムを介して、災害情報センター１０１に送信する。
【００３６】
観測ポイント１１１ｉから地震検出とその観測結果（振動波形など）を受信した災害情報センター１０１では、振動波形を解析し、推定震度や各地での地震到達時刻などを計算し、計算結果を含めた状態で緊急地震速報を、地震が到達すると予測される地域で予め登録されたユーザに対してネットワーク１００や各種電波などを介して配信する（図２（３））。
【００３７】
ネットワーク１００などを介して災害情報センター１０１からの緊急地震速報の配信（図２（４））を受けたユーザ宅２００のＰＣ２１０では、受信した緊急地震速報に含まれる各種情報をデコードし、該当する地域であるか、震度などに応じてロックを解除する必要があるかを判定する。なお、地震の規模が小さい場合などには、ロックを解除しないように判定する。
【００３８】
ロックを解除する必要があると判定された場合には、ＰＣ２１０からの指示により、ロック解除送信機２２０が、ロック部３４０に対してロック解除信号を送信する（図２（５））。また、これと並行して、ＰＣ２１０は、予め登録されたユーザ（飼い主）のメールアドレス宛に、ロックを解除信号を送信した旨のメールを送信するようにしてもよい。
【００３９】
なお、このロック解除送信機２２０としては、特定小電力無線装置を用いることで、無線局の免許が不要であると共に、ユーザ宅２００近傍に設けられた犬小屋３００まで安定した状態でロック解除信号を送信できる。また、このロック解除信号には、ロック部３４０毎に識別ＩＤを設けておくことで、他人の家のロックを解除してしまうことがなくなる。
【００４０】
通常時は、犬小屋３００に、犬３０１が首輪３１０を介して鎖３２０につながれている。なお、鎖３２０は、通常はロック部３４０でロックされているが、ロック解除送信機２２０からのロック解除信号を受信する（図２（６））と、地震到達（図２（８））の前に、ロック部３４０のロックが解除される（図２（７））。
【００４１】
この結果、綱や鎖でつなぐか、柵や檻などの囲いの中で飼わなければならないとされている、犬や、その他の中〜大型のペットに関して、飼い主が自宅に不在の状態で大地震などの災害が発生した場合には、緊急地震速報のデータに応じて自動的に鎖や檻や柵が解除されるため、ペットは囲いや鎖からは解放され、不要な閉じこめ状態は発生しない。
【００４２】
また、特許文献１のような事前登録、災害の検出、救助信号の送信、救助信号の受信に基づく救助実行などは不要になる。また、単純な地震センサと組み合わせではないため、動物を拘束している鎖やゲートが誤動作によって解除されてしまって動物が逃げ出してしまうという心配もない。
【００４３】
なお、以上の具体例では、ロック部３４０は鎖３２０を解除するものとしたが、首輪３１０の部分で解除を行うようにしてもよい。
また、ロック部３４０は、通常時には動物を囲っている檻もしくは柵のゲートを閉鎖した状態でロックしており、前記緊急地震速報を受信した場合には檻や柵のゲートのロックを解除するようにしてもよい。
【００４４】
また、ユーザ宅２００内で小型のペットを飼育している場合には、ペットが外に出られるように、ロック部３４０がドアの施錠を解除するように構成してもよい。
また、以上の説明では地震の場合の緊急地震速報を具体例としたが、津波、火災、台風
、浸水、土石流、雪崩、火山噴火などの災害が発生した場合に同種のシステムから配信される災害発生情報の場合にも適用することができる。この場合にも、津波、火災、台風、浸水、土石流、雪崩、火山噴火などの災害が発生した場合に、災害情報のデータに応じて自動的に鎖や檻や柵が解除されるため、ペットは囲いや鎖からは解放され、不要な閉じこめ状態は発生しない。また、単純な地震センサと組み合わせではないため、動物を拘束している鎖やゲートが誤動作によって解除されてしまって動物が逃げ出してしまうという心配もない。
【００４５】
また、以上の説明では、緊急地震速報や災害発生情報に応じてロック解除信号が発生するものとして説明したが、ＰＣ２１０が制御手段や通信手段として動作し、ユーザ（飼い主）宛にロック解除承認を求める手続き（メールなど）を送信することも可能である。
【００４６】
そして、ユーザのロック解除承認の返信メールがあった場合に、一定時間ユーザから応答が無かった場合のいずれかに、ＰＣ２１０がロック解除送信機２２０に対してロック解除信号の送信を行う。すなわち、緊急性があるため、ユーザが「不承認」とした場合以外は、ロックを解除する。
【００４７】
また、緊急地震速報や災害発生情報を受けたＰＣ２１０は制御手段や通信手段として動作し、ユーザ（飼い主）宛にロック解除承認を求める手続き（メールなど）を送信すると共に、予め登録された近所の知人の連絡先一覧をユーザ宛に連絡してもよい。なお、予め登録された近所の知人がＧＰＳ情報を発する装置を身につけており、そのＧＰＳ情報を確認できるシステムが存在する場合には、知人とその現在地情報の一覧をユーザ宛に連絡してもよい。この連絡を受けたユーザは、まず、知人にペット保護依頼をし、この依頼ができないような場合にロック解除に承認するようにしてもよい。
【００４８】
また、緊急地震速報や災害発生情報を受けたＰＣ２１０は制御手段や通信手段として動作し、ユーザからの応答がなかった場合、ユーザに宛てたロック解除承認を求める手続き（メールなど）と同様の内容のものを、予め登録された近所の知人（予め登録された近所の知人がＧＰＳ情報を発する装置を身につけており、そのＧＰＳ情報を確認できるシステムが存在する場合には、近所にいることが確実な知人など）に送信してもよい。
【００４９】
そして、知人からロック解除承認が得られた場合、もしくは、一定時間知人から応答が無かった場合のいずれかに、ＰＣ２１０がロック解除送信機２２０に対してロック解除信号の送信を行う。すなわち、この場合も、緊急性があるため、知人が「不承認」とした場合以外は、ロックを解除する。
【００５０】
なお、ユーザのみの承認とするか、ユーザと連絡がとれないときに何人の知人まで連絡をするかについて、予め定めておくことが望ましい。
以上の場合、他人への保護依頼やユーザ承認などの各種の手続きを経てから、あるいは、緊急事態などでユーザや知人からの応答がない場合に限って、鎖や檻や柵が解除されるため、確実な手続きを経てからペットは囲いや鎖からは解放されるため、不要な閉じこめ状態も不要な解除状態も発生しない。
【００５１】
また、以上の説明では、緊急地震速報や災害発生情報に応じてロック解除信号が発生するものとして説明したが、地震や災害のレベルが低く、自動的にロック解除をするレベルに達していない場合にも、ＰＣ２１０が制御手段や通信手段として動作し、ユーザ（飼い主）宛に、ロック解除伺いを求める手続き（メールなど）を送信することも可能である。この場合、ユーザは、ロック解除伺いに対して、ユーザの意志により、ロック解除信号を送信する指示を、返信メールとして送信する。そして、ロック解除伺いに対する返信メール（ロック解除指示）があった場合に、ＰＣ２１０がロック解除送信機２２０に対してロ
ック解除信号の送信を行う。
【００５２】
また、以上の説明では、緊急地震速報や災害発生情報に応じてロック解除信号が発生するものとして説明したが、何らかの事情で緊急地震速報や災害発生情報を受信できない場合に、ＰＣ２１０が気象情報を参照して、上述したロック解除承認を求める手続きや、ロック解除伺いの手続きを行うようにしてもよい。この場合、上述したのと同様の手続きを、ネットワーク経由で入手した気象情報などを参照してＰＣ２１０が行う。
【００５３】
なお、以上の場合、ＰＣ２１０からユーザへの連絡や返信はメールに限定されるものではなく、ＰＣ２１０が一種のサーバとして動作して、ユーザがアクセスして携帯端末のウェブ画面を介してメッセージ受信や承認や指示の入力を行う形式であってもよい。
【００５４】
また、以上のようにＰＣ２１０とユーザとが通信を行う場合には、既存の携帯電話を用いても良いし、専用の携帯端末を容易してもよい。
また、ＰＣ２１０とユーザとが直接にメールなどにより連絡を取り合う形式であってもよいし、ＰＣ２１０がサーバとなってもよいし、連絡や承認のための別のサーバ（図示せず）を用意してもよい。
【図面の簡単な説明】
【００５５】
【図１】本発明の一実施形態としての災害対応ロック解除システムの構成を示すブロック図である。
【図２】本実施形態の災害対応ロック解除システムにおける動作状態を示すシーケンス図である。
【符号の説明】
【００５６】
１００  ネットワーク
１０１  災害情報センター
１１１ａ〜１１１ｎ  観測ポイント
２００  ユーザ宅
２１０  ＰＣ
２１１  専用受信機
２２０  ロック解除信号送信機
３００  犬小屋
３０１  犬
３１０  首輪
３２０  鎖
３４０  ロック部
【図１】
2007295840.tif 000003
【図２】
2007295840.tif 000004
【手続補正書】
【提出日】平成18年8月10日(2006.8.10)
【手続補正１】
【補正対象書類名】特許請求の範囲
【補正対象項目名】全文
【補正方法】変更
【補正の内容】
【特許請求の範囲】
【請求項１】
災害情報センターからの緊急地震速報のデータもしくは災害発生情報を受信する受信装置と、
前記受信装置で受信された緊急地震速報のデータもしくは災害発生情報に応じてロック解除信号を送信するロック解除送信機と、
前記ロック解除送信機からのロック解除信号を受信してロックを解除するロック部と、
ユーザと通信を行う通信手段と、
前記通信手段を介して前記ユーザからのロック解除承認を得る制御手段とを備え、
前記制御手段は、前記通信手段を介して前記ユーザからのロック解除承認が得られた場合、もしくは前記ユーザからの応答がなかった場合に、前記ロック解除信号を送信するように前記ロック解除送信機を制御し、
前記ロック部は動物の首輪もしくは鎖が接続されているか、あるいは、前記ロック部は檻もしくは柵のゲートを閉鎖した状態でロックしており、緊急地震速報のデータもしくは災害発生情報を受信した場合には前記首輪もしくは前記鎖の接続あるいはゲートのロックが解除される、
ことを特徴とする災害対応ロック解除システム。
【請求項２】
前記制御手段は、前記解除承認手続きの際、予め登録された知人の連絡先一覧とその現在地情報の一覧とを前記ユーザに通知する、
ことを特徴とする請求項１記載の災害対応ロック解除システム。
【請求項３】
災害情報センターからの緊急地震速報のデータもしくは災害発生情報を受信する受信装置と、
前記受信装置で受信された緊急地震速報のデータもしくは災害発生情報に応じてロック解除信号を送信するロック解除送信機と、
前記ロック解除送信機からのロック解除信号を受信してロックを解除するロック部と、
ユーザもしくは予め登録された知人と通信を行う通信手段と、
前記通信手段を介してロック解除承認を得る制御手段とを備え、
前記制御手段は、前記ユーザに対してロック解除承認を求め、該ユーザからの応答がなかった場合は前記知人に対してロック解除承認を求め、前記ユーザあるいは前記知人からのロック解除承認が得られた場合もしくは前記知人から応答がなかった場合に前記ロック解除信号を送信するように前記ロック解除送信機を制御し、
前記ロック部は動物の首輪もしくは鎖が接続されているか、あるいは、前記ロック部は檻もしくは柵のゲートを閉鎖した状態でロックしており、緊急地震速報のデータもしくは災害発生情報を受信した場合には前記首輪もしくは前記鎖の接続あるいはゲートのロックが解除される、
ことを特徴とする災害対応ロック解除システム。
【手続補正２】
【補正対象書類名】明細書
【補正対象項目名】０００９
【補正方法】変更
【補正の内容】
【０００９】
上述した不具合を解決する手段としての本発明は、以下に述べるようなものである。
（１）請求項１記載の発明は、災害情報センターからの緊急地震速報のデータもしくは災害発生情報を受信する受信装置と、前記受信装置で受信された緊急地震速報のデータもしくは災害発生情報に応じてロック解除信号を送信するロック解除送信機と、前記ロック解除送信機からのロック解除信号を受信してロックを解除するロック部と、ユーザと通信を行う通信手段と、前記通信手段を介して前記ユーザからのロック解除承認を得る制御手段とを備え、前記制御手段は、前記通信手段を介して前記ユーザからのロック解除承認が得られた場合、もしくは前記ユーザからの応答がなかった場合に、前記ロック解除信号を送信するように前記ロック解除送信機を制御し、前記ロック部は動物の首輪もしくは鎖が接続されているか、あるいは、前記ロック部は檻もしくは柵のゲートを閉鎖した状態でロックしており、緊急地震速報のデータもしくは災害発生情報を受信した場合には前記首輪もしくは前記鎖の接続あるいはゲートのロックが解除される、ことを特徴とする災害対応ロック解除システムである。
【手続補正３】
【補正対象書類名】明細書
【補正対象項目名】００１０
【補正方法】変更
【補正の内容】
【００１０】
この災害対応ロック解除システムでは、受信装置で受信された緊急地震速報のデータもしくは災害発生情報に応じて、ロック解除送信機からロック解除信号が送信される。ロック部でロック解除信号が受信されると、ロック部に接続された動物の首輪もしくは鎖の接続が解放、檻もしくは柵のゲートのロックが解除される。
なお、この災害対応ロック解除システムでは、ユーザからのロック解除承認が得られてから、あるいは、解除承認を求めてもユーザからの応答が無かった場合に、ロック解除送信機からロック解除信号が送信される。
【手続補正４】
【補正対象書類名】明細書
【補正対象項目名】００１１
【補正方法】変更
【補正の内容】
【００１１】
（２）請求項２記載の発明は、前記制御手段は、前記解除承認を得るための手続きの際に、予め登録された知人の連絡先一覧とその現在地情報の一覧とを前記ユーザに通知する、ことを特徴とする請求項１記載の災害対応ロック解除システムである。
【手続補正５】
【補正対象書類名】明細書
【補正対象項目名】００１２
【補正方法】変更
【補正の内容】
【００１２】
この災害対応ロック解除システムでは、制御手段は、ロック解除承認を得るための手続きの際に、予め登録された知人の連絡先一覧とその現在地情報の一覧とを前記ユーザに通知する。
【手続補正６】
【補正対象書類名】明細書
【補正対象項目名】００１３
【補正方法】変更
【補正の内容】
【００１３】
（３）請求項３記載の発明は、災害情報センターからの緊急地震速報のデータもしくは災害発生情報を受信する受信装置と、前記受信装置で受信された緊急地震速報のデータもしくは災害発生情報に応じてロック解除信号を送信するロック解除送信機と、前記ロック解除送信機からのロック解除信号を受信してロックを解除するロック部と、ユーザもしくは予め登録された知人と通信を行う通信手段と、前記通信手段を介してロック解除承認を得る制御手段とを備え、前記制御手段は、前記ユーザに対してロック解除承認を求め、該ユーザからの応答がなかった場合は前記知人に対してロック解除承認を求め、前記ユーザあるいは前記知人からのロック解除承認が得られた場合もしくは前記知人から応答がなかった場合に前記ロック解除信号を送信するように前記ロック解除送信機を制御し、前記ロック部は動物の首輪もしくは鎖が接続されているか、あるいは、前記ロック部は檻もしくは柵のゲートを閉鎖した状態でロックしており、緊急地震速報のデータもしくは災害発生情報を受信した場合には前記首輪もしくは前記鎖の接続あるいはゲートのロックが解除される、ことを特徴とする災害対応ロック解除システムである。
【手続補正７】
【補正対象書類名】明細書
【補正対象項目名】００１４
【補正方法】変更
【補正の内容】
【００１４】
この災害対応ロック解除システムでは、受信装置で受信された緊急地震速報のデータもしくは災害発生情報に応じて、ロック解除送信機からロック解除信号が送信される。ロック部でロック解除信号が受信されると、ロック部に接続された動物の首輪もしくは鎖の接続が解放、檻もしくは柵のゲートのロックが解除される。
なお、この災害対応ロック解除システムでは、ユーザに対してロック解除承認を求め、該ユーザからの応答がなかった場合は予め登録された知人に対してロック解除承認を求める。ここで、ユーザあるいは知人からのロック解除承認が得られた場合、ロック解除信号が送信される。また、ユーザからも、知人からも応答がなかった場合にも、ロック解除信号が送信される。
【手続補正８】
【補正対象書類名】明細書
【補正対象項目名】００１５
【補正方法】変更
【補正の内容】
【００１５】
本願発明によれば、以下のような効果が得られる。
（１）この災害対応ロック解除システムでは、緊急地震速報受信装置で受信された緊急地震速報のデータもしくは災害発生情報に応じて、ユーザのロック解除承認を得る手続きが実行され、ユーザのロック解除承認が得られた場合、あるいは、前記ユーザからの応答がなかった場合に、ロック解除送信機からロック解除信号が送信され、ロック部でロック解除信号が受信されると、ロック部に接続された動物の首輪もしくは鎖の接続が解放、檻もしくは柵のゲートのロックが解除される。
【手続補正９】
【補正対象書類名】明細書
【補正対象項目名】００１８
【補正方法】変更
【補正の内容】
【００１８】
（２）この災害対応ロック解除システムでは、制御手段は、ロック解除承認を得るための手続きの際に、予め登録された知人の連絡先一覧とその現在地情報の一覧とを前記ユーザに通知する。この連絡先の通知を受けたユーザは、まず、知人にペット保護依頼をし、この依頼ができないような場合にロック解除に承認することが可能になる。
【手続補正１０】
【補正対象書類名】明細書
【補正対象項目名】００２１
【補正方法】変更
【補正の内容】
【００２１】
（３）この災害対応ロック解除システムでは、ロック解除承認を得るための手続きにおいて前記ユーザからの応答がなかった場合に、予め登録された知人からロック解除承認を得るようにしているため、ユーザまたは知人からロック解除承認が得られた場合、もしくは、一定時間ユーザからも知人からも応答が無かった場合のいずれかに、ロック解除信号を行うことで、ロック解除承認を確実に行うことが可能になる。
【手続補正書】
【提出日】平成18年10月12日(2006.10.12)
【手続補正１】
【補正対象書類名】特許請求の範囲
【補正対象項目名】全文
【補正方法】変更
【補正の内容】
【特許請求の範囲】
【請求項１】
災害情報センターからの緊急地震速報のデータもしくは災害発生情報を受信する受信装置と、
前記受信装置で受信された緊急地震速報のデータもしくは災害発生情報に応じてロック解除信号を送信するロック解除送信機と、
前記ロック解除送信機からのロック解除信号を受信してロックを解除するロック部と、
ユーザと通信を行う通信手段と、
前記通信手段を介して前記ユーザからのロック解除承認を得る制御手段とを備え、
前記制御手段は、前記通信手段を介して予め登録された知人の連絡先一覧とその現在地情報の一覧とを前記ユーザに通知し、前記ユーザからのロック解除承認が得られた場合、もしくは前記ユーザからの応答がなかった場合に、前記ロック解除信号を送信するように前記ロック解除送信機を制御し、
前記ロック部は動物の首輪もしくは鎖が接続されているか、あるいは、前記ロック部は檻もしくは柵のゲートを閉鎖した状態でロックしており、緊急地震速報のデータもしくは災害発生情報を受信した場合には前記首輪もしくは前記鎖の接続あるいはゲートのロックが解除される、
ことを特徴とする災害対応ロック解除システム。
【請求項２】
災害情報センターからの緊急地震速報のデータもしくは災害発生情報を受信する受信装置と、
前記受信装置で受信された緊急地震速報のデータもしくは災害発生情報に応じてロック解除信号を送信するロック解除送信機と、
前記ロック解除送信機からのロック解除信号を受信してロックを解除するロック部と、
ユーザもしくは予め登録された知人と通信を行う通信手段と、
前記通信手段を介してロック解除承認を得る制御手段とを備え、
前記制御手段は、前記ユーザに対してロック解除承認を求め、該ユーザからの応答がなかった場合は予め登録された知人の連絡先一覧とその現在地情報の一覧から前記知人に対してロック解除承認を求め、前記ユーザあるいは前記知人からのロック解除承認が得られた場合もしくは前記知人から応答がなかった場合に前記ロック解除信号を送信するように前記ロック解除送信機を制御し、
前記ロック部は動物の首輪もしくは鎖が接続されているか、あるいは、前記ロック部は檻もしくは柵のゲートを閉鎖した状態でロックしており、緊急地震速報のデータもしくは災害発生情報を受信した場合には前記首輪もしくは前記鎖の接続あるいはゲートのロックが解除される、
ことを特徴とする災害対応ロック解除システム。
【手続補正書】
【提出日】平成18年11月9日(2006.11.9)
【手続補正１】
【補正対象書類名】特許請求の範囲
【補正対象項目名】全文
【補正方法】変更
【補正の内容】
【特許請求の範囲】
【請求項１】
災害情報センターからの緊急地震速報のデータもしくは災害発生情報を受信する受信装置と、
前記受信装置で受信された緊急地震速報のデータもしくは災害発生情報に応じてロック解除信号を送信するロック解除送信機と、
前記ロック解除送信機からのロック解除信号を受信してロックを解除するロック部と、
ユーザと通信を行う通信手段と、
前記通信手段を介して前記ユーザからのロック解除承認を得る制御手段とを備え、
前記制御手段は、前記通信手段を介して予め登録された知人の連絡先一覧とその現在地情報の一覧とを前記ユーザに通知し、前記ユーザからのロック解除承認が得られた場合、もしくは前記ユーザからの応答がなかった場合に、前記ロック解除信号を送信するように前記ロック解除送信機を制御する、
ことを特徴とする災害対応ロック解除システム。
【請求項２】
災害情報センターからの緊急地震速報のデータもしくは災害発生情報を受信する受信装置と、
前記受信装置で受信された緊急地震速報のデータもしくは災害発生情報に応じてロック解除信号を送信するロック解除送信機と、
前記ロック解除送信機からのロック解除信号を受信してロックを解除するロック部と、
ユーザもしくは予め登録された知人と通信を行う通信手段と、
前記通信手段を介してロック解除承認を得る制御手段とを備え、
前記制御手段は、前記ユーザに対してロック解除承認を求め、該ユーザからの応答がなかった場合は前記知人に対してロック解除承認を求め、前記ユーザあるいは前記知人からのロック解除承認が得られた場合もしくは前記知人から応答がなかった場合に前記ロック解除信号を送信するように前記ロック解除送信機を制御する、
ことを特徴とする災害対応ロック解除システム。
【請求項３】
前記ロック部は動物の首輪もしくは鎖が接続されているか、あるいは、前記ロック部は檻もしくは柵のゲートを閉鎖した状態でロックしており、緊急地震速報のデータもしくは災害発生情報を受信した場合には前記首輪もしくは前記鎖の接続あるいはゲートのロックが解除される、
ことを特徴とする請求項１または請求項２に記載の災害対応ロック解除システム。